(57)【特許請求の範囲】
【請求項１】
タッチパネルを有するフロントケースと、
前記フロントケースの移動を規制するロック部と表示器とを有するリアケースと、を備え、
前記フロントケースの周縁部に形成された突起は、前記リアケースの外縁部に形成された案内溝に挿入されており、前記フロントケースを前記リアケースに当接させた状態から、前記案内溝に沿って前記フロントケースを更に移動させた状態で前記案内溝に係合した状態となっており、
前記フロントケースは、前記リアケースに設けられた前記ロック部が、該フロントケースの移動を規制しない第１の位置から該第１の位置とは異なる、該フロントケースの移動を規制する第２の位置に移動した状態で前記リアケースに取り付けられていることを特徴とするディスプレイ装置。
【請求項２】
前記フロントケースは、その一端部に突部が形成されており、前記リアケースに設けられた前記ロック部が前記第１の位置から該第１の位置とは異なる第２の位置へ移動した状態のときに、前記突部と前記ロック部の少なくとも一部が、前記案内溝に沿って前記フロントケースが移動する方向において重なっていることを特徴とする請求項１に記載のディスプレイ装置。
【請求項３】
前記フロントケースは、その上面周縁部と下面周縁部に係合用突起が形成されており、前記リアケースは、その上面外縁部と下面外縁部に前記フロントケースの係合用突起に対応する係合用凹部が形成されており、
前記案内溝に沿って前記フロントケースが移動した状態のときに、前記フロントケースの上面周縁部と下面周縁部に形成された係合用突起と前記リアケースの上面外縁部と下面外縁部に形成された係合用凹部とが係合していることを特徴とする請求項１又は２に記載のディスプレイ装置。
【請求項４】
前記リアケースは、取り外し可能に装着されるカバーを有し、前記ロック部が前記第１の位置にある状態のときは、前記カバーを装着する際に前記カバーの一部と前記ロック部の一部とが接触して前記カバーの装着が妨げられる状態となり、前記ロック部が前記第２の位置にある状態のときは、前記カバーを装着する際に前記カバーの一部と前記ロック部の一部とが接触せずに前記カバーの装着が可能な状態となることを特徴とする請求項１乃至３のいずれか一項に記載のディスプレイ装置。
【請求項５】
前記リアケースに設けられた前記ロック部が前記第１の位置にある状態のときは、ロック解除状態であり、前記第２の位置にある状態のときは、ロック状態であることを特徴とする請求項１乃至４のいずれか一項に記載のディスプレイ装置。
【請求項６】
タッチパネルを有するフロントケースと、前記フロントケースの移動を規制するロック部と表示器とを有するリアケースと、を備える、ディスプレイ装置の製造方法であって、
前記フロントケースの周縁部に形成された突起を前記リアケースの外縁部に形成された案内溝に挿入して前記フロントケースを前記リアケースに当接させた後、前記案内溝に沿って前記フロントケースを移動させて前記突起を前記案内溝に係合させ、前記リアケースに設けられた前記ロック部を、前記フロントケースの移動を規制しない第１の位置から該第１の位置とは異なる、前記フロントケースの移動を規制する第２の位置へ移動させて前記フロントケースを前記リアケースに取り付けることを特徴とするディスプレイ装置の製造方法。
【請求項７】
前記フロントケースは、その一端部に突部が形成されており、前記リアケースに設けられた前記ロック部を前記第１の位置から該第１の位置とは異なる第２の位置へ移動させて、前記突部と前記ロック部の少なくとも一部を、前記案内溝に沿って前記フロントケースが移動する方向において重ねることを特徴とする請求項６に記載のディスプレイ装置の製造方法。
【請求項８】
前記フロントケースは、その上面周縁部と下面周縁部に係合用突起が形成されており、前記リアケースは、その上面外縁部と下面外縁部に前記フロントケースの係合用突起に対応する係合用凹部が形成されており、
前記案内溝に沿って前記フロントケースを移動させて、前記フロントケースの上面周縁部と下面周縁部に形成された係合用突起と前記リアケースの上面外縁部と下面外縁部に形成された係合用凹部とを係合させることを特徴とする請求項６又は７に記載のディスプレイ装置の製造方法。
【請求項９】
前記リアケースは、取り外し可能に装着されるカバーを有し、前記ロック部を前記第１の位置に移動させると、前記カバーを装着する際に前記カバーの一部と前記ロック部の一部とが接触して前記カバーの装着が妨げられる状態となり、前記ロック部を前記第２の位置に移動させると、前記カバーを装着する際に前記カバーの一部と前記ロック部の一部とが接触せずに前記カバーの装着が可能な状態となることを特徴とする請求項６乃至８のいずれか一項に記載のディスプレイ装置の製造方法。
【請求項１０】
前記リアケースに設けられた前記ロック部を前記第１の位置に移動させて、ロック状態を解除し、前記第２の位置に移動させて、ロック状態とすることを特徴とする請求項６乃至９のいずれか一項に記載のディスプレイ装置の製造方法。
【発明の詳細な説明】
【技術分野】
【０００１】
本発明は、タッチパネルを備えるディスプレイ装置に関する。
【背景技術】
【０００２】
この種のディスプレイ装置は、例えば、ＰＯＳ（Point Of Sales）端末装置等の電子機器の周辺装置として、あるいは、電子機器の一部品として電子機器本体に対して一体に構成される表示部として用いられる。
【０００３】
一般に、タッチパネルを備えたディスプレイ装置は、液晶パネル等の表示器と、表示器の前面に配置されるタッチパネルと、表示器およびタッチパネルを収容および支持する筐体とを有している。タッチパネルを備えたディスプレイ装置は、長期間使用していく上で、バックライトを含めた表示器の故障の可能性の他、タッチパネルの故障の可能性がある。タッチパネルの保守点検あるいは修理、交換を行う際に、従来のディスプレイ装置は、筐体を開ける作業、筐体に表示器を固定しているネジを外す等の作業を経て、表示器を取り外した後でなければ、タッチパネルを取り外すことができず、装置の保守性に難があるという問題があった。
【０００４】
このような問題を解決した、タッチパネルの交換を容易に行うことが可能なディスプレイ装置が特許文献１に記載されている。特許文献１のディスプレイ装置は、表示器と、表示器のおもて面上に積層されたタッチパネルと、タッチパネル及び表示器を収容する筐体とを有している。この筐体は、表示器を搭載したリアケースと、タッチパネルを搭載したフロントケースとから構成され、フロントケースは、着脱のための工具を用いることなく、リアケースに取り外し可能に装着される。また、リアケースにはフロントケースの爪とリアケースの凹部との係合を解除するための係合解除機構が設けられている。
【先行技術文献】
【特許文献】
【０００５】
【特許文献１】特開２０１３−９７０１３号公報
【発明の概要】
【発明が解決しようとする課題】
【０００６】
しかしながら、上述した特許文献１のディスプレイ装置においては、フロントケースとリアケースとの係合を解除するための係合解除機構を有しているため、ディスプレイ装置の構造が複雑になり製造コストがかさむという問題があった。
【０００７】
本発明は、上述した課題である係合解除機構を有しない、保守性に優れた簡易な構造のディスプレイ装置を提供することを目的とする。
【課題を解決するための手段】
【０００８】
上述の課題に鑑み、本発明の一態様は、タッチパネルを有するフロントケースと、前記フロントケースの移動を規制するロック部と表示器とを有するリアケースと、を備え、前記フロントケースの周縁部に形成された突起を前記リアケースの外縁部に形成された案内溝に挿入して前記フロントケースを前記リアケースに当接させた後、前記案内溝に沿って前記フロントケースを移動させて前記突起を前記案内溝に係合させ、前記リアケースに設けられた前記ロック部を、第１の位置から該第１の位置とは異なる第２の位置へ移動させて前記フロントケースの移動を規制することによって前記フロントケースを前記リアケースに取り付けることを特徴とするディスプレイ装置を提供する。
【発明の効果】
【０００９】
本発明によれば、保守性に優れた簡易な構造のディスプレイ装置を提供することができる。
【図面の簡単な説明】
【００１０】
【図１】本発明の実施形態によるタッチパネル付きディスプレイ装置を備えたＰＯＳ端末装置を示す図であり、（ａ）は斜視図、（ｂ）は側面図である。
【図２】図１に示すディスプレイ装置におけるフロントケースを表側から見た図であり、（ａ）は斜視図、（ｂ）は分解斜視図である。
【図３】図２に示すフロントケースを裏側から見た図であり、（ａ）は斜視図、（ｂ）は分解斜視図である。
【図４】図３に示すフロントケースをＡ−Ａ線に沿って切断した図であり、（ａ）は斜視図、（ｂ）は下面図である。
【図５】図３に示すフロントケースをＢ−Ｂ線に沿って切断した図であり、（ａ）は斜視図、（ｂ）は上面図である。
【図６】図３に示すフロントケースをＣ−Ｃ線に沿って切断した図であり、（ａ）は斜視図、（ｂ）は側面図である。
【図７】図３に示すフロントケースの一部拡大図であり、（ａ）は左上部拡大図、（ｂ）は左下部拡大図である。
【図８】図１に示すディスプレイ装置からフロントケースを外した状態を示す図である。
【図９Ａ】図８に示すディスプレイ装置のリアケースの外側フレームを示す図であり、表側から見た斜視図である。
【図９Ｂ】図８に示すディスプレイ装置のリアケースの外側フレームを裏側から見た斜視図である。
【図９Ｃ】図８に示すディスプレイ装置のリアケースの内側フレームを表側から見た斜視図である。
【図９Ｄ】図８に示すディスプレイ装置のリアケースの内側フレームを裏側から見た斜視図である。
【図９Ｅ】内側フレームを内側に配置した外側フレームを表側から見た斜視図である。
【図９Ｆ】内側フレームを内側に配置した外側フレームを裏側から見た斜視図である。
【図１０】図９に示すリアケースに装着されるロックレバーを示す図であり、（ａ）は表側から見た斜視図であり、（ｂ）は裏側から見た斜視図であり、（ｃ）は分解斜視図である。
【図１１Ａ】本発明の実施形態によるディスプレイ装置のリアケースに装着するトップカバーを示す図であり、（ａ）は斜視図であり、（ｂ）は表側から見た正面図であり、（ｃ）は側面図である。
【図１１Ｂ】本発明の実施形態によるディスプレイ装置のリアケースに装着するトップカバーを示す図であり、（ｄ）は裏側からみた正面図と四箇所の断面図である。
【図１２Ａ】本発明の実施形態によるディスプレイ装置のリアケースに装着するリアカバーを示す図であり、（ａ）は裏側から見た斜視図であり、（ｂ）は表側から見た斜視図である。
【図１２Ｂ】本発明の実施形態によるディスプレイ装置のリアケースに装着するリアカバーを示す図であり、（ｃ）は正面図であり、（ｄ）は側面図である。
【図１３】図８に示すディスプレイ装置を異なる角度から見た図であり、（ａ）は斜視図であり、（ｂ）は一部拡大図である。
【図１４】図８に示すディスプレイ装置を別の異なる角度から見た図であり、（ａ）は斜視図であり、（ｂ）は一部拡大図である。
【図１５】本発明の実施形態によるディスプレイ装置におけるフロントケースの取り付け方法を説明するための図であり、（ａ）は背面から見た斜視図であり、（ｂ）は中央近辺の断面図であり、（ｃ）は（ｂ）の一部拡大図である。
【図１６】図１５に示すディスプレイ装置のフロントケースを下方に引き下げロックした状態を示す図であり、（ａ）は背面から見た斜視図であり、（ｂ）は中央近辺の断面図であり、（ｃ）は（ｂ）の一部拡大図である。
【図１７】ディスプレイ装置のロック忘れ防止機構について説明するための図であり、（ａ）は上面図であり、（ｂ）はＥ−Ｅ線に沿って切断した図である。
【図１８】ディスプレイ装置のロック忘れ防止機構について説明するための図であり、（ａ）は上面図であり、（ｂ）はＥ−Ｅ線に沿って切断した図である。
【図１９】ディスプレイ装置のロック忘れ防止機構について説明するための図であり、（ａ）は図１８に示すディスプレイ装置にトップカバーを取り付けようとしたときのＦ−Ｆ線に沿って切断した断面図であり、（ｂ）はＧ−Ｇ線に沿って切断し上部からみた一部断面図である。
【発明を実施するための形態】
【００１１】
以下、本発明の実施形態について図面を参照しつつ説明する。但し、以下に説明する実施形態によって本発明の技術的範囲は何ら限定解釈されることはない。
【００１２】
図１（ａ）は、本発明の実施形態によるディスプレイ装置２を備える電子機器（例として、ＰＯＳ端末装置１）の全体像を示す斜視図である。図１（ｂ）は、図１（ａ）の電子機器を側面から見た図である。ＰＯＳ端末装置１は、表示部であるディスプレイ装置２と基台部３をチルトヒンジユニット４にて連結したものである。ディスプレイ装置２は、タッチパネル、ＬＣＤ（Liquid Crystal Display）等の表示器、ＰＯＳ端末装置全体の制御を行う制御ユニット等を内蔵している。基台部はＡＣ／ＤＣ電源装置等を内蔵している。ディスプレイ装置２が、タッチパネルと表示器とを内蔵するもので、基台部３が、制御ユニットとＡＣ／ＤＣ電源装置等を内蔵するものであってもよい。
【００１３】
本実施形態によるディスプレイ装置２は、表示器２６（図８参照）と、表示器２６のおもて面上に積層されたタッチパネル１１（図２参照）と、タッチパネル１１および表示器２６を収容する筐体とを有している。筐体は、表示器２６を搭載したリアケース２０（図８参照）と、タッチパネル１１を搭載したフロントケース１０（図２参照）とから構成されている。フロントケース１０は、リアケース２０に、着脱のための工具を用いることなく取り外し可能に装着され、積層されたタッチパネル１１および表示器２６のタッチ検知領域および可視領域を露出させる開口部を有している。
【００１４】
また、ディスプレイ装置２は、後述するそれぞれ取り外し可能なサイドカバー２３と、トップカバー２４と、リアカバー２５とを有している。サイドカバー２３、トップカバー２４、リアカバー２５はいずれも、後述の係合用突起と係合用孔や係合用突起と案内溝等の嵌合構造によってディスプレイ装置２に固定されており、特別な工具を使用することなく容易に取り外すことができる。
【００１５】
図２乃至図７を参照して、ディスプレイ装置２のフロントケース１０について説明する。図２（ａ）は、図１に示すディスプレイ装置２のフロントケース１０を表側から見た斜視図である。図２（ｂ）は、図２（ａ）のフロントケース１０を分解した分解斜視図である。同図に示すように、フロントケース１０は、タッチパネル１１と、タッチパネル１１に付属する接続ケーブル１２と、両面テープ１３と、フロントベゼル１４とからなる。また、図３（ａ）は、フロントケース１０を裏側から見た斜視図である。図３（ｂ）は、図３（ａ）のフロントケース１０の分解斜視図である。
【００１６】
タッチパネル１１は、厚さ数ミリ程度の平板状をなしており、電子機器の制御を行う内蔵された制御ユニット等と接続ケーブル１２を介して電気的に接続される。タッチパネル１１は、フロントベゼル１４に両面テープ１３を用いて固定される。フロントベゼル１４は枠状（額縁状）に設けられており、中央に設けられた開口によって表示器２６（図８参照）を外部に露出させる。本実施形態では、タッチパネル１１がフロントベゼル１４の表側に取り付けられているが、タッチパネル１１をフロントベゼル１４の裏側に取り付け、フロントベゼル１４の開口によって露出させるようにしてもよい。フロントケース１０のフロントベゼル１４の裏側には、後述する係合用突起１４１や突部１４２等が設けられている。
【００１７】
図４（ａ）は、図２や図３に示すフロントケース１０をＡ−Ａ線に沿って切断した断面図である。図４（ｂ）は、図４（ａ）のフロントケース１０の下面図である。フロントケース１０の上面部における内周縁には、３個の係合用突起１４１が形成されている。また、フロントケース１０の上面部内側には、２個の突部１４２が形成されている。
【００１８】
フロントケース１０をリアケース２０に取り付ける際、この係合用突起１４１は、リアケース２０に形成された係合用凹部２１１と係合する。また、ロックレバー２１４が第１の位置（ロック解除状態となる位置）から第２の位置（ロック状態となる位置）へ移動したときに、突部１４２とロックレバー２１４の少なくとも一部が鉛直方向において重なるためフロントケース１０の上方への移動を規制することとなる。具体的には、突部１４２がロックレバー２１４の一部の下方に位置する。
【００１９】
図５（ａ）は、図２や図３に示すフロントケース１０をＢ−Ｂ線に沿って切断した断面図である。図５（ｂ）は、図５（ａ）のフロントケース１０の上面図である。フロントケース１０の下面部における内周縁には、５個の係合用突起１４３が形成されている。フロントケース１０をリアケース２０に取り付ける際、この係合用突起１４３は、リアケース２０に形成された係合用凹部２１３と係合する。
【００２０】
図６（ａ）は、図２や図３に示すフロントケース１０をＣ−Ｃ線に沿って切断した断面図である。図６（ｂ）は、図６（ａ）のフロントケース１０の側面図である。フロントケース１０の側面部における内周縁には、３個の係合用突起１４４が形成されている。図示の例はフロントケース１０の片方の側面部を示しており、もう一方の側面部の内周縁にも３個の係合用突起１４４が形成され、左右の側面部の内周縁には合計で６個の係合用突起１４４が形成される。フロントケース１０をリアケース２０に取り付ける際、この係合用突起１４４とリアケース２０に形成された案内溝２１２が係合する。
【００２１】
図７（ａ）は、図２や図３に示すフロントケース１０の左上部の一部拡大図である。図７（ｂ）は、図７（ａ）の上記フロントケース１０の左下部の一部拡大図である。上述したようにフロントケース１０の内周縁には、その上面部に係合用突起１４１、下面部に係合用突起１４３、側面部に係合用突起１４４が形成され、上面部内側には突部１４２が形成されている。これらの係合用突起１４１、１４３、１４４は、リアケース２０の対応する係合用凹部２１１、２１３や案内溝２１２と係合することによって固定されており、フロントケース１０を特別な工具を使用することなく容易に取り外すことができる。
【００２２】
次に、図８乃至図１０、図１３及び図１４を参照して、ディスプレイ装置２のリアケース２０について説明する。図８は、図１（ａ）に示すディスプレイ装置２からフロントケース１０を取り外した状態を示す斜視図であり、リアケース２０に備えられた表示器２６が現れている。メンテナンスのときには、ディスプレイ装置２からフロントケース１０を取り外し、タッチパネル１１や表示器２６の交換等を容易に行うことができる。図１３及び図１４は、図８に示すディスプレイ装置２をそれぞれの異なる角度から見た図であり、図１３（ａ）は側面斜視図、図１３（ｂ）はその一部拡大図、図１４（ａ）は上面斜視図、図１４（ｂ）はその一部拡大図である。図１３及び図１４に示すように、リアケース２０の側面に設けられた案内溝２１２は、下方に延びている。
【００２３】
ディスプレイ装置２からフロントケース１０を取り外した状態では、ディスプレイ装置２の一部であるリアケース２０の内部が露出する。リアケース２０は、後述する外側フレーム２１と内側フレーム２２とを有し、外側フレーム２１と内側フレーム２２には、係合用凹部２１１と、案内溝２１２と、係合用凹部２１３と、ロックレバー（ロック手段、ロック部）２１４が設けられている。また、リアケース２０の外側にはサイドカバー２３と、トップカバー２４と、リアカバー２５とが取り外し可能に装着される。
【００２４】
図９Ａは、図８に示すリアケース２０の外側フレーム２１を表側から見た斜視図である。図９Ｂは、外側フレーム２１を裏側から見た斜視図である。外側フレーム２１は、樹脂からなる成形品であり、フロントケース１０の係合用突起１４１に対応する３個の係合用凹部２１１がその上面外縁部に形成されている。また、その下面外縁部には、フロントケース１０の係合用突起１４３に対応する５個の係合用凹部２１３が形成されている。さらに、左右の側面外縁部には、フロントケース１０の係合用突起１４４に対応する３個の案内溝２１２がそれぞれに形成されている。
【００２５】
外側フレーム２１の上側は２箇所の中空部を有し、当該中空部毎にロックレバー２１４が設けられている。ロックレバー２１４が第１の位置（ロック解除状態となる位置）にある場合、フロントケース１０に形成された突部１４２がリアケース２０からフロントケース１０を取り外す動作を妨げない。一方、ロックレバー２１４が第２の位置（ロック状態となる位置）にある場合、ロックレバー２１４が突部１４２の上方に移動することとなるため、フロントケース１０の上方への移動を規制することとなり、リアケース２０からフロントケース１０を取り外す動作を規制する。つまり、ロック状態ではフロントケース１０をリアケース２０から取り外すことはできない。
【００２６】
外側フレーム２１の裏側には、トップカバー２４の第１の位置決め用突起２４５と係合するトップカバー位置決め用凹部２１５と、トップカバー２４の係合用爪２４３と係合するトップカバー係合用孔２１６が形成されている。また、リアカバー２５の突部２５２と係合するリアカバー突部当接位置２１７と、リアカバー２５の係合用突起２５３と係合するリアカバー係合用孔２１８が形成されている。
【００２７】
図９Ｃは、図８に示すリアケース２０の内側フレーム２２を表側から見た斜視図である。図９Ｄは、内側フレーム２２を裏側から見た斜視図である。内側フレーム２２は、折り曲げた金属板を複数組み合わせてなるフレームである。図９Ｅは、内側フレーム２２を内側に収容した外側フレーム２１を表側から見た斜視図である。図９Ｆは、内側フレーム２２を内側に収容した外側フレーム２１を裏側から見た斜視図である。内側フレーム２２を内側に収容した外側フレーム２１は、内側フレーム２２に形成された４個のネジ孔２２２と外側フレーム２１に形成された４個のネジ止め用孔２１９とを合わせて、４箇所でネジ止めされる。これに、表示器２６が、ネジ孔が形成された４個のネジ止め用突起２２１にネジを用いて取り付けられ、サイドカバー２３と、トップカバー２４と、リアカバー２５とが取り外し可能に装着される。また、内側フレーム２２内には、制御ユニット等が内蔵される。このようにして組み立てられたリアケース２０に、フロントケース１０を取り付けたものが、ディスプレイ装置２である。
【００２８】
図１０（ａ）は、図９に示す外側フレーム２１に設けられるロックレバー２１４を表側から見た斜視図である。図１０（ｂ）は、上記ロックレバー２１４を裏側から見た斜視図である。図１０（ｃ）は、上記ロックレバー２１４の分解斜視図である。ロックレバー２１４は、ロックレバー規制部２１４ａと、ロックレバー操作部２１４ｂとから構成されている。ロックレバー操作部２１４ｂは、矩形状の平板部材に係合用爪や突部等を設けたものであって、表側にロックレバー規制部２１４ａに形成された孔と係合する係合用爪が２箇所に形成され、ロックレバー規制部２１４ａに形成された中空突起内に挿入される突部が形成されている。裏側には、ロックレバー２１４を第１の位置と第２の位置の間を移動させるためのつまみ部と矢印の案内表示が形成されている。
【００２９】
ロックレバー規制部２１４ａは、矩形状の平板部材に係合用爪に対応する孔や突起を設けたものであって、ロックレバー操作部２１４ｂの係合用爪に対応する孔が２箇所に形成され、中空突起が中央に形成されている。タッチパネル１１等のメンテナンスの際には、ロックレバー操作部２１４ｂに形成された案内表示に沿ってロックレバー２１４を第２の位置から第１の位置へ移動すると、フロントケース１０はロック解除状態となり、リアケース２０から取り外すことができる。メンテナンスが終了した後は、案内表示に沿ってロックレバー２１４を第１の位置から第２の位置へ移動させることで、フロントケース１０はロック状態となり、リアケース２０から取り外すことができなくなる。
【００３０】
次に、図１１Ａ及び図１１Ｂを参照して、ディスプレイ装置２に取り付けられるトップカバー２４について説明する。図１１Ａ（ａ）は、本実施形態によるディスプレイ装置２に取り付けられるトップカバー２４を示す斜視図である。図１１Ａ（ｂ）は、トップカバー２４を表側から見た正面図である。図１１Ａ（ｃ）は、トップカバー２４の側面図である。図１１Ｂ（ｄ）は、トップカバー２４を裏側からみた正面図と４箇所の断面図である。トップカバー２４は、上部に３個の係合用突起２４１と２個の突部２４２が形成されている。トップカバー２４をリアケース２０に取り付ける際、この係合用突起２４１は、リアケース２０に形成された係合用凹部２１１と係合する。突部２４２は、ロックレバー２１４が第１の位置（ロック解除状態の位置）にあるときにロックレバー２１４のつまみ部に当たってトップカバー２４の取り付けを阻止する。
【００３１】
また、トップカバー２４は、下部に３個の係合用爪２４３と、４個の係合用孔２４４と、２個の第１の位置決め用突起２４５と、４個の第２の位置決め用突起２４６とが形成されている。トップカバー２４をリアケース２０に取り付ける際、係合用爪２４３は、リアケース２０の外側フレーム２１に形成されたトップカバー係合用孔２１６と係合する。また、第１の位置決め用突起２４５は、リアケース２０の外側フレーム２１に形成されたトップカバー位置決め用凹部２１５と当接する。係合用孔２４４は、リアカバー２５の係合用突起２５１と係合する。第２の位置決め用突起２４６は、トップカバー位置決め用凹部２１５が形成されている面の裏面と当接する。
【００３２】
次に、図１２Ａ及び図１２Ｂを参照して、ディスプレイ装置２に取り付けられるリアカバー２５について説明する。図１２Ａ（ａ）は、本実施形態によるディスプレイ装置２に取り付けられるリアカバー２５を裏側から見た斜視図である。図１２Ａ（ｂ）は、リアカバー２５を表側から見た斜視図である。図１２Ｂ（ｃ）は、リアカバー２５の正面図である。図１２Ｂ（ｄ）は、リアカバー２５の側面図である。リアカバー２５の裏側には、上部に４個の係合用突起２５１と、中部に２個の突部２５２と、下部に２個の係合用突起２５３とが形成されている。リアカバー２５をリアケース２０に取り付ける際、突部２５２は、リアケース２０に形成されたリアカバー突部当接位置２１７と係合する。また、係合用突起２５３は、リアケース２０の外側フレーム２１に形成されたリアカバー係合用孔２１８と係合する。係合用突起２５１は、トップカバー２４に形成された係合用孔２４４と係合する。
【００３３】
次に、図１５と図１６を参照しながら、フロントケース１０のリアケース２０への取り付け方法について説明する。図１５は、本発明の実施形態によるディスプレイ装置２におけるフロントケース１０のリアケース２０への取り付け方法を説明するための図であり、図１５（ａ）は背面から見た斜視図、図１５（ｂ）は中央近辺の断面図、図１５（ｃ）は図１５（ｂ）の一部拡大図である。なお、図１５及び図１６においては、フロントケース１０のタッチパネル１１の接続ケーブル１２や内蔵されている制御ユニット等は説明の便宜上図示していない。
【００３４】
ディスプレイ装置２のメンテナンスをするときに、作業者（ユーザ）はフロントケース１０をリアケース２０から取り外し、メンテナンス終了後は、フロントケース１０をリアケース２０に取り付ける。フロントケース１０をリアケース２０から取り外す場合は、リアケース２０からリアカバー２５を取り外した後、トップカバー２４を取り外し、ロックレバー２１４をロック解除状態となる第１の位置へ移動した後にフロントケース１０を取り外す。フロントケース１０をリアケース２０へ取り付ける場合は、逆の手順による。図１５は、フロントケース１０をリアケース２０へ取り付けようとして、フロントケース１０の側面部内縁の係合用突起１４４をリアケース２０の外側フレーム２１の側面部外縁の案内溝２１２に挿入し、フロントケース１０をリアケース２０に当接させた状態を示している。
【００３５】
図１６は、図１５に示すディスプレイ装置２の状態からフロントケース１０を下方に引き下げロックした状態、即ち、フロントケース１０のリアケース２０への取り付けが完了した状態を示す図であり、図１６（ａ）は背面から見た斜視図、図１６（ｂ）は中央近辺の断面図、図１６（ｃ）は図１６（ｂ）の一部拡大図である。フロントケース１０のリアケース２０への取り付けは、図１５に示す状態から、案内溝２１２に沿ってフロントケース１０を下方に移動させて、フロントケース１０の複数個所に設けられた係合部を対応するリアケース２０の複数個所に設けられた係合部と係合させた後、ロックレバー２１４をロック状態となる第２の位置へ移動させることによって完了する。
【００３６】
フロントケース１０のリアケース２０への取り付けが完了した状態では、フロントケース１０の複数個所に設けられた係合部が対応するリアケース２０の複数個所に設けられた係合部と係合している。具体的には、フロントケース１０の上面部における内周縁（内側）の係合用突起１４１、左右の側面部における内側の係合用突起１４４、下面部における内側の係合用突起１４３は、それぞれ、リアケース２０の上面外周縁の係合用凹部２１１、左右の側面外周縁の案内溝２１２、下面外周縁の係合用凹部２１３と係合している。また、図１６（ｃ）に示すように、ロックレバー２１４が、フロントケース１０の上面部内側の突部１４２の上部に位置してフロントケース１０の上方への移動を規制している。すなわち、図１６のディスプレイ装置２では、ロントケース１０のリアケース２０への取り付けが完了した状態にある。次に、トップカバー２４を所定の位置に当接させた後、下方に引き下げてリアケース２０に取り付ける。その後、リアカバー２５を所定の位置に当接させた後、下方に引き下げてリアケース２０に取り付けると、図１に示すディスプレイ装置２の状態となる。
【００３７】
リアケース２０をフロントケース１０から取り外す場合は、逆の手順による。即ち、リアカバー２５を上方に引き上げてリアケース２０から取り外した後、トップカバー２４を上方に引き上げてリアケース２０から取り外す。その後、ロックレバー２１４をロック解除位置にし、フロントケース１０を上方に引き上げた後、手前に引き出してリアケース２０から取り外す。
【００３８】
次に、図１７乃至図１９を参照して、本実施形態によるディスプレイ装置２のロック忘れ防止機構について説明する。図１７は、フロントケース１０をリアケース２０に取り付け、ロックレバー２１４を第２の位置に移動させた状態を示す。図１７（ａ）は上面図、図１７（ｂ）はＥ−Ｅ線（図１６（ｃ）参照）に沿って切断した図である。図１７（ｂ）に示すように、フロントケース１０の突部１４２の上部にロックレバー２１４が位置し、フロントケース１０の上方への移動を規制している。また、図１７（ａ）に示すように、ロックレバー２１４のロックレバー操作部２１４ｂのつまみ部はリアケース２０の外側フレーム２１内に収まっている。なお、リアケース２０については、ロックレバー２１４近辺のみを図示している。
【００３９】
ロックレバー２１４が第２の位置にないときは、フロントケース１０が上方へ移動してリアケース２０から外れてしまう可能性があるが、本実施形態では、作業者（ユーザ）が、フロントケース１０とリアケース２０がロックレバー２１４により固定されていないこと（ロックレバー２１４が第２の位置にないこと）を知ることができる。
【００４０】
図１８は、フロントケース１０をリアケース２０に取り付けた状態において、ロックレバー２１４が第１の位置にある状態を示す。図１８（ａ）は上面図、図１８（ｂ）はＥ−Ｅ線（図１６（ｃ）参照）に沿って切断した図である。図１８（ｂ）に示すように、フロントケース１０の突部１４２の上部にロックレバー２１４が位置しておらず、フロントケース１０の上方への移動が可能である。また、図１８（ａ）に示すように、ロックレバー２１４のロックレバー操作部２１４ｂのつまみ部はリアケース２０の外側フレーム２１内に収まっておらず、外側フレーム２１の外に出ている。
【００４１】
図１９は、図１８に示すディスプレイ装置２にトップカバーを取り付けようとしたときの状態を示す。図１９（ａ）は、Ｆ−Ｆ線（図１８（ａ）参照）に沿って切断した断面図であり、図１９（ｂ）はＧ−Ｇ線に沿って切断し上部から見た一部断面図である。図１９（ａ）や図１９（ｂ）に示すように、トップカバー２４の突部２４２が、ロックレバー２１４のロックレバー操作部２１４ｂのつまみ部に当たって、トップカバー２４をリアケース２０に取り付けることができない。これによって、作業者（ユーザ）は、ロックレバー２１４が第２の位置にないこと、即ち、ロックをし忘れたことに気づくことができる。
【００４２】
以上説明した本発明の実施形態においては、以下に記載するような効果を奏する。
【００４３】
第１は、本実施形態によるディスプレイ装置２は、タッチパネル１１を搭載したフロントケース１０の係合部と、表示器２６を搭載したリアケース２０の係合部とを係合させた後、ロックレバー２１４を用いてフロントケース１０の移動を規制する構造であるので、簡易な構造で保守性に優れたディスプレイ装置を提供できるという効果である。
【００４４】
第２は、ロックレバー２１４が第１の位置（ロック解除状態の位置）にあるときは、トップカバー２４の取り付けがロックレバー操作部２１４ｂのつまみ部によって妨げられる構造であるので、フロントケース１０の移動が規制されていないことに作業者（ユーザ）が気付くことができるという効果である。
【００４５】
なお、上記実施形態では、リアケース２０の両側面部に設けた案内溝２１２、上面部に設けた係合用凹部２１１、及び下面部に設けた係合用凹部２１３と、フロントケース１０の両側面部内側に設けた係合用突起１４４、上面部内側に設けた係合用突起１４１、及び下面部内側に設けた係合用突起１４３との係合によって、リアケース２０にフロントケース１０を取り付けるが、リアケース２０の両側面部に設けた案内溝２１２と上面部もしくは下面部に設けた係合用凹部２１１、２１３と、フロントケース１０の両側面部内側に設けた係合用突起１４４と上面部内側もしくは下面部内側に設けた係合用突起１４１、１４３との係合によって、あるいは、リアケース２０の両側面部に設けた案内溝２１２と、フロントケース１０の両側面部内側に設けた係合用突起１４４との係合によって、リアケース２０にフロントケース１０を取り付けるようにしてもよい。
【００４６】
また、上記実施形態では、リアケース２０の両側面部に案内溝２１２を設け、フロントケース１０の両側面部内側に係合用突起１４４を設けているが、リアケース２０の両側面部に係合用突起を設け、フロントケース１０の両側面部内側に案内溝（上方に延びる）を設けてもよい。
【００４７】
また、上記実施形態では、リアケース２０の裏面を覆うカバーとして、トップカバー２４とリアカバー２５とをそれぞれ別に設けているが、トップカバー２４とリアカバー２５とを一体としてひとつのリアカバーとしてもよい。また、サイドカバー２３についても、トップカバー２４やリアカバー２５と一体としてひとつのリアカバーとしてもよい。
【００４８】
さらに、上記実施形態では、リアケース２０の両側面部に案内溝２１２を設け、フロントケース１０の両側面部内側に係合用突起１４４を設けて、フロントケース１０をリアケース２０に当接させた後、下方に引き下げることで係合させているが、本実施形態はこれに限定されることはなく、例えばリアケース２０の上面部と下面部に案内溝を設け、フロントケース１０の上面部内側と下面部内側に上記案内溝に対応する係合用突起１４４を設けて、フロントケース１０をリアケース２０に当接させた後、側面方向に移動させることで係合させる構成にしても構わない。すなわち、左右いずれかの移動でフロントケース１０をリアケース２０へ取り付ける。そして、フロントケース１０の側面に突部を設け、リアケース２０の対応する側面側にロックレバー２１４を設ける。この場合、ロックレバー２１４がロック解除状態の位置にあるときは、サイドカバー２３の突部がロックレバー２１４に当たって、サイドカバー２４をリアケース２０に取り付けることができないので、ユーザや作業者（ユーザ）は、ロックをし忘れたことに気づくことができる。
【００４９】
また、上記実施形態で例示されたフロントカバー１０の係合用突起や突部、リアカバー２０のロックレバー、案内溝、係合用孔や係合用凹部の数量は例示に過ぎず、例えばこれら係合部における数量については、４個や５個など、適切な数量形成しても構わない。サイドカバー２３、トップカバー２４、及びリアカバー２５の係合部についても同様である。
【００５０】
以上説明した実施形態に限定されることなく、本発明は、当該特許請求の範囲に記載された技術範囲内であれば、種々の変形が可能であることは云うまでもない。例えば、本発明は、ＰＯＳ端末装置に限らず、ＰＤＡ（Personal Digital Assistant）、パーソナルコンピュータ、デジタルカメラ、ムービーカメラ、ゲーム機、ディスプレイ機器、テレビ機器等のタッチパネルを備えたディスプレイ装置を有する電子機器に適用可能である。
【００５１】
以上、本発明をその実施の形態に基づき具体的に説明したが、本発明は前記実施の形態に限定されるものではなく、その要旨を逸脱しない範囲で種々変更可能であることは言うまでもない。
【符号の説明】
【００５２】
１  ＰＯＳ端末装置
２  ディスプレイ装置
３  基台部
４  チルトヒンジユニット
１０  フロントケース
１１  タッチパネル
１２  接続ケーブル
１３  両面テープ
１４  フロントベゼル
１４１  係合用突起
１４２  突部
１４３  係合用突起
１４４  係合用突起
２０  リアケース
２１  外側フレーム
２１１  係合用凹部
２１２  案内溝
２１３  係合用凹部
２１４  ロックレバー
２１４ａ  ロックレバー規制部
２１４ｂ  ロックレバー操作部
２１５  トップカバー位置決め用凹部
２１６  トップカバー係合用孔
２１７  リアカバー突部当接位置
２１８  リアカバー係合用孔
２１９  ネジ止め用孔
２２  内側フレーム
２２１  ネジ止め用突起
２２２  ネジ孔
２３  サイドカバー
２４  トップカバー
２４１  係合用突起
２４２  突部
２４３  係合用爪
２４４  係合用孔
２４５  第１の位置決め用突起
２４６  第２の位置決め用突起
２５  リアカバー
２５１  係合用突起
２５２  突部
２５３  係合用突起
２６  表示器
【要約】
【課題】保守性に優れた簡易な構造のディスプレイ装置を提供する。
【解決手段】本発明のディスプレイ装置は、タッチパネルを有するフロントケースと、前記フロントケースの移動を規制するロック部と表示器とを有するリアケースと、を備え、前記フロントケースの周縁部に形成された突起を前記リアケースの外縁部に形成された案内溝に挿入して前記フロントケースを前記リアケースに当接させた後、前記案内溝に沿って前記フロントケースを移動させて前記突起を前記案内溝に係合させ、前記リアケースに設けられた前記ロック部を、第１の位置から該第１の位置とは異なる第２の位置へ移動させて前記フロントケースの移動を規制することによって前記フロントケースを前記リアケースに取り付ける。
【選択図】図８【図１】
0006025228.tif 000002
【図２】
0006025228.tif 000003
【図３】
0006025228.tif 000004
【図４】
0006025228.tif 000005
【図５】
0006025228.tif 000006
【図６】
0006025228.tif 000007
【図７】
0006025228.tif 000008
【図８】
0006025228.tif 000009
【図９Ａ】
0006025228.tif 000010
【図９Ｂ】
0006025228.tif 000011
【図９Ｃ】
0006025228.tif 000012
【図９Ｄ】
0006025228.tif 000013
【図９Ｅ】
0006025228.tif 000014
【図９Ｆ】
0006025228.tif 000015
【図１０】
0006025228.tif 000016
【図１１Ａ】
0006025228.tif 000017
【図１１Ｂ】
0006025228.tif 000018
【図１２Ａ】
0006025228.tif 000019
【図１２Ｂ】
0006025228.tif 000020
【図１３】
0006025228.tif 000021
【図１４】
0006025228.tif 000022
【図１５】
0006025228.tif 000023
【図１６】
0006025228.tif 000024
【図１７】
0006025228.tif 000025
【図１８】
0006025228.tif 000026
【図１９】
0006025228.tif 000027